(57)【要約】 本発明はエリア優先順位を決定する方法、ネットワーク装置、及びコンピュータ記憶媒体を開示し、該方法は、ネットワークスライスの情報を取得し、前記ネットワークスライスの情報に基づいてエリア優先順位を設定することと、前記エリア優先順位を端末装置に設定することと、を含む。
2021514554.tif 000002
【特許請求の範囲】
【請求項１】
エリア優先順位を決定する方法であって、ネットワーク装置に適用され、
ネットワークスライスの情報を取得し、前記ネットワークスライスの情報に基づいてエリア優先順位を設定することと、
前記エリア優先順位を端末装置に設定することと、を含む、エリア優先順位を決定する方法。
【請求項２】
前記ネットワークスライスの情報は、
ネットワークスライスの優先順位情報、
ネットワークスライスのレベル情報、
前記端末装置の属性情報、
ネットワークスライスとエリアとの間の対応関係のうちの少なくとも１つを含む請求項１に記載の方法。
【請求項３】
前記ネットワークスライスの情報に基づいてエリア優先順位を設定することは、
前記端末装置の属性情報に基づいて前記ネットワークスライスの優先順位を決定することと、
前記ネットワークスライスの優先順位に基づいて前記エリア優先順位を設定することと、を含む請求項２に記載の方法。
【請求項４】
前記ネットワークスライスの情報を取得することは、
コアネットワーク、アクセスネットワーク、端末装置、操作保守装置のうちの１種類の装置から、前記ネットワークスライスの情報を取得することを含む請求項１に記載の方法。
【請求項５】
前記エリアは、
ビームエリア、セル、周波数帯域、周波数ポイント、登録エリア、トラッキングエリア、ページングエリアのうちの少なくとも１つである請求項１に記載の方法。
【請求項６】
端末装置からネットワークスライスの情報を取得する場合、前記端末装置は、前記ネットワークスライスの情報を直接取得し、又は、ネットワーク側の設定によって前記ネットワークスライスの情報を取得することができる請求項４に記載の方法。
【請求項７】
コアネットワークからネットワークスライスの情報を取得する場合、前記コアネットワークは、前記端末装置の契約サーバから、又は前記端末装置から、又はアクセスネットワークから、又は他のコアネットワークからネットワークスライスの情報を取得できる請求項４に記載の方法。
【請求項８】
ネットワーク装置であって、
ネットワークスライスの情報を取得し、前記ネットワークスライスの情報に基づいてエリア優先順位を設定する処理ユニットと、
前記エリア優先順位を端末装置に設定する通信ユニットと、を含むネットワーク装置。
【請求項９】
前記ネットワークスライスの情報は、
ネットワークスライスの優先順位情報、
ネットワークスライスのレベル情報、
前記端末装置の属性情報、
ネットワークスライスとエリアとの間の対応関係のうちの少なくとも１つを含む請求項８に記載のネットワーク装置。
【請求項１０】
前記処理ユニットは、前記端末装置の属性情報に基づいて前記ネットワークスライスの優先順位を決定し、前記ネットワークスライスの優先順位に基づいて前記エリア優先順位を設定する請求項９に記載のネットワーク装置。
【請求項１１】
前記処理ユニットは、通信ユニットを介して、コアネットワーク、アクセスネットワーク、端末装置、操作保守装置のうちの１種類の装置から、前記ネットワークスライスの情報を取得する請求項８に記載のネットワーク装置。
【請求項１２】
前記エリアは、
ビームエリア、セル、周波数帯域、周波数ポイント、登録エリア、トラッキングエリア、ページングエリアのうちの少なくとも１つである請求項８に記載のネットワーク装置。
【請求項１３】
端末装置からネットワークスライスの情報を取得する場合、前記端末装置は、前記ネットワークスライスの情報を直接取得し、又は、ネットワーク側の設定によって前記ネットワークスライスの情報を取得することができる請求項１２に記載のネットワーク装置。
【請求項１４】
コアネットワークからネットワークスライスの情報を取得する場合、前記コアネットワークは、前記端末装置の契約サーバから、又は前記端末装置から、又はアクセスネットワークから、又は他のコアネットワークからネットワークスライスの情報を取得できる請求項１２に記載のネットワーク装置。
【請求項１５】
ネットワーク装置であって、プロセッサ、及びプロセッサにおいて実行できるコンピュータプログラムを記憶するためのメモリを含み、
前記プロセッサは、前記コンピュータプログラムが実行される時、請求項１１〜７のいずれか１項に記載の方法のステップを実行することに用いられるネットワーク装置。
【請求項１６】
コンピュータ記憶媒体であって、コンピュータ実行可能な命令が記憶され、前記コンピュータ実行可能な命令が実行される時、請求項１〜７のいずれか１項に記載の方法のステップが実現されるコンピュータ記憶媒体。
【発明の詳細な説明】
【技術分野】
【０００１】
本発明は情報処理技術分野に関し、特にエリア優先順位を決定する方法、ネットワーク装置、及びコンピュータ記憶媒体に関する。
【背景技術】
【０００２】
５Ｇが広く言及されている時、ネットワークスライスがその中で最も多く検討されている技術である。ネットワークスライスを実現するには、ネットワーク機能仮想化（ＮＦＶ）が前提条件となる。基本的に、ＮＦＶの主なアイデアは、ネットワーク機能ソフトウェア（即ち、パケットコアにおけるＭＭＥ、Ｓ／Ｐ−ＧＷとＰＣＲＦ、及びＲＡＮにおけるＤＵ）を、単独にその専用ネットワーク装置にデプロイするのではなく、全て商用サーバ上の仮想マシンにデプロイするする、ということである。これにより、ＲＡＮはエッジクラウドとされ、コア機能はコアクラウドとされる。エッジとコアクラウドに位置するＶＭ間の接続はＳＤＮを使用して設定される。それから、各サービス（電話スライス、大規模スライス、ミッションクリティカルなモノのインターネットスライス等）のためにスライスを生成する。
【０００３】
通常、ネットワーク切替は、特定のエリア、例えば、特定の周波数帯域又は特定のセル又は特定の登録エリア又は特定のページングエリアに設定される。端末によりネットワークスライスが設定されると、ネットワークは端末に設定されたネットワークスライスに基づいて異なるエリア優先順位を設定する。例えば、端末により設定されたネットワーク切替情報はＭＩｏＴタイプであれば、アクセスネットワークはＭＩｏＴタイプが設定されたエリアを比較的に高い優先順位に設定する。端末は、セルの再選択を行う場合、比較的に優先順位の高いエリアを優先的に選択することができる。同一の端末は複数のネットワークスライスを設定できる。しかし、現在の情況では、アクセスネットワークがどのようにエリアの優先順位を設定するかについては決定されていない。
【発明の概要】
【発明が解決しようとする課題】
【０００４】
上記の技術課題を解決するために、本発明の実施例は、エリア優先順位を決定する方法、ネットワーク装置、及びコンピュータ記憶媒体を提供する。
【課題を解決するための手段】
【０００５】
本発明の実施例が提供するエリア優先順位を決定する方法は、ネットワーク装置に適用され、
ネットワークスライスの情報を取得し、前記ネットワークスライスの情報に基づいてエリア優先順位を設定することと、
前記エリア優先順位を端末装置に設定することと、を含む。
【０００６】
本発明の実施例が提供するネットワーク装置は、
ネットワークスライスの情報を取得し、前記ネットワークスライスの情報に基づいてエリア優先順位を設定する処理ユニットと、
前記エリア優先順位を端末装置に設定する通信ユニットと、を含む。
【０００７】
本発明の実施例の提供するネットワーク装置は、プロセッサ、及びプロセッサにおいて実行できるコンピュータプログラムを記憶するためのメモリを含む。
【０００８】
前記プロセッサは、前記コンピュータプログラムが実行される時、前述の方法のステップを実行することに用いられる。
【０００９】
本発明の実施例はコンピュータ記憶媒体を提供し、前記コンピュータ記憶媒体にはコンピュータの実行可能な命令が記憶され、前記コンピュータ実行可能な命令が実行される時、前述の方法のステップが実現される。
【００１０】
本発明の実施例の技術案によって、ネットワークスライスの情報を取得し、前記ネットワークスライスの情報に基づいてエリア優先順位を設定し、前記エリア優先順位を端末装置に設定することができ、これにより、端末によってネットワークスライスが設定されると、同一の端末によって複数のネットワークスライスを設定できるシーンでは、ネットワークスライスの情報に基づいて端末装置に対応するエリアの優先順位を設定できることが実現できる。
【図面の簡単な説明】
【００１１】
【図１】図１は本発明の実施例のエリア優先順位を決定する方法の模式的なフローチャートである。
【図２】図２は本発明の実施例のネットワーク装置の構成構造の模式図である。
【図３】図３は本発明の実施例のハードウェアワークアーキテクチャの模式図である。
【発明を実施するための形態】
【００１２】
本発明の実施例の特徴と技術内容を更に詳しく理解できるために、以下は図面を参照しながら本発明の実施例の実現について詳しく説明する。尚、添付の図面は単に説明・参考するためのものであり、本発明の実施例を限定するためのものではない。
【００１３】
実施例１、
本発明の実施例が提供するエリア優先順位を決定する方法は、ネットワーク装置に適用され、図１に示すように、
ネットワークスライスの情報を取得し、前記ネットワークスライスの情報に基づいてエリア優先順位を設定するステップ１０１と、
前記エリア優先順位を端末装置に設定するステップ１０２と、を含む。
【００１４】
本実施例の提供する技術案によって、ネットワーク装置はネットワークスライスの情報に基づいてエリア優先順位を設定し、それから前記エリア優先順位を端末装置に設定することができる。
【００１５】
理解されるように、本実施例においてネットワーク装置は端末装置に対してエリア優先順位の設定を行う。
【００１６】
第１装置が第２装置より提供されたネットワークスライスの情報に基づいてエリア優先順位を設定し、そしてそのエリア優先順位を端末に提供する。すなわち、ネットワークにおけるある装置がもう１つの装置にネットワークスライスの情報を提供し、それから該情報に基づいて端末に対応するエリア優先順位を設定する。
【００１７】
具体的に、ネットワークスライスの情報を取得することは、
コアネットワーク、アクセスネットワーク、端末装置、操作保守装置のうちの１種類の装置から、前記ネットワークスライスの情報を取得することを含む。即ち、コアネットワークから対応するネットワークスライスの情報を取得してもよく、アクセスネットワークから対応するネットワークスライスの情報を取得してもよい。
【００１８】
更に、異なる装置からネットワークスライスの情報を取得する方式について説明する。
【００１９】
第１方式では、端末装置からネットワークスライスの情報を取得する場合、前記端末装置は、前記ネットワークスライスの情報を直接取得し、又は、ネットワーク側の設定によって前記ネットワークスライスの情報を取得する。
【００２０】
端末装置がネットワークスライスの情報を直接取得する方式は、契約の方式によって取得するということであってもよく、具体的に、契約の方式は、ユーザが事前にオペレータと協議して契約結果を取得するということであってもよく、そして契約の方式にはユーザがネットワークスライスの情報を取得するパス情報が更に含まれてもよい。理解できるように、契約には、例えば、ユーザがネットワーク切替の情報を取得する契約サーバのアドレス情報、ルーティング情報、契約パスワード等、複数タイプの情報が含まれてもよく、ここでは説明を省略する。
【００２１】
端末装置は更にネットワーク側によって設定されたネットワークスライスの情報を直接受信してもよい。例えば、それ自身に対応する管理ネットワーク装置側からその設定したネットワークスライスの情報を直接取得し、具体的な取得方式については、本実施例では詳しく説明しない。
【００２２】
即ち、端末は契約によってそのネットワークスライスの情報を取得し、又はネットワーク設定によってそのネットワークスライスの情報を取得してもよい。この方式の場合、端末により提供されるネットワークスライスの情報に基づいてエリア優先順位を設定し、そしてそのエリア優先順位を端末に提供する。
【００２３】
第２方式では、コアネットワークからネットワークスライスの情報を取得する場合、前記コアネットワークは、前記端末装置の契約サーバから、又は前記端末装置から、又はアクセスネットワークから、又は他のコアネットワークからネットワークスライスの情報を取得できる。
【００２４】
すなわち、ステップ１０１を実行する前に、ネットワーク側は更に、どの端末装置にエリア優先順位を設定する必要があるかを知る必要があり、それに対応して、ネットワークスライスの情報を取得する時、端末装置に関する情報を参照しながら、それに対応する契約サーバ、アクセスネットワーク又は他のコアネットワークから対応する情報を取得する必要がある。
【００２５】
前記他のコアネットワークは他のシステムのコアネットワークであってもよく、現在端末装置に対応するコアネットワークでさえなければよい。
【００２６】
即ち、コアネットワークは、端末の契約サーバから、又は端末から、又はアクセスネットワークから、そのネットワークスライス情報を取得してもよい。
【００２７】
更に説明すべきように、他のコアネットワークの情報の取得時間又はタイミングは、端末装置がネットワーク切替を行う過程の中にあってもよく、この時、コアネットワークは他のコアネットワークからそのネットワークスライス情報を取得できる。又は、端末装置のアクセスした最初コアネットワークからネットワークスライス情報を取得すると理解されてもよい。
【００２８】
尚、アクセスネットワーク、操作保守装置からネットワークスライス情報を取得する方式については、前述の２つの方式と同じ又は類似であってもよく、ここで網羅的な説明をしない。
【００２９】
更に、前記エリアは、ビームエリア、セル、周波数帯域、周波数ポイント、登録エリア、トラッキングエリア、ページングエリアのうちの少なくとも１つである。例えば、ビームエリアは少なくとも１つのビームによってカバーされたセルであってもよく、尚、異なるセル、異なる周波数帯域、又は異なる周波数ポイントは異なるエリアに区分され、勿論、更に幾つかの異なる周波数帯域が同じ１つのエリアに区分されてもよく、ここでは限定をしない。理解できるように、他の登録エリア、トラッキングエリア、ページングエリアの区分方式は前述と同じであってもよく、ここでは説明を省略する。
【００３０】
本実施例で紹介する前述案に基づいて、前記ネットワークスライスの情報について説明すると、該情報は、
ネットワークスライスの優先順位情報、
ネットワークスライスのレベル情報、
前記端末装置の属性情報、
ネットワークスライスとエリアとの間の対応関係のうちの少なくとも１つを含む。
【００３１】
前記ネットワークスライスの優先順位情報について、例えば、高、中、低優先順位、又は第１、２、３、４優先順位等のＮ個優先順位に区分してもよい。
【００３２】
ネットワークスライスのレベル情報も複数のレベルが存在してもよく、例えば１０種類のレベル（勿論、更に多くても、又は更に少なくてもよい）に区分してもよく、そして、ネットワークスライスのレベル情報について、更にネットワークスライスのレベル情報とネットワークスライスの優先順位情報とを対応させてもよく、例えば、レベル１−３を高優先順位に対応させ、レベル４−８を中優先順位に対応させ、レベル９−１０を低優先順位に対応させてもよい。
【００３３】
前記端末装置の属性情報について、本情報の使用方式は、前記端末装置の属性情報に基づいて前記ネットワークスライスの優先順位を決定し、前記ネットワークスライスの優先順位に基づいて前記エリア優先順位を設定する、ということであってもよい。例えば、その端末はＭＩｏＴタイプの端末であり、そうすると、対応するネットワークスライスのタイプの優先順位は比較的に高く、又はその端末はあるネットワークスライス属性に属せず、そうすると、そのネットワークスライスの優先順位は比較的に低い。
【００３４】
ネットワークスライスとエリアとの対応関係は、ネットワークスライスとエリアの優先順位情報であってもよい。すなわち、ネットワークスライスの優先順位情報に基づいて、それに対応するエリアの優先順位情報を決定する。例えば、ネットワークスライスの優先順位は、それの示そうとするある１つのエリア又はある幾つかのエリアに対応する優先順位に対応してもよく、そうすると、端末装置にエリア優先順位を設定する時は、エリアに対応するネットワークスライスの優先順位に基づいて、優先順位の最も高いネットワークスライスに対応するエリアを選択して端末に設定してもよい。すなわち、ネットワークスライスとエリアの間に事前設定の対応関係が存在し、ここでは説明を省略する。
【００３５】
これで分かるように、上記の案を採用することで、ネットワークスライスの情報を取得し、前記ネットワークスライスの情報に基づいてエリア優先順位を設定し、前記エリア優先順位を端末装置に設定することができ、これにより、端末によってネットワークスライスが設定されると、同一の端末によって複数のネットワークスライスを設定できるシーンでは、ネットワークスライスの情報に基づいて端末装置に対応するエリアの優先順位を設定できることが実現できる。
【００３６】
実施例２、
本発明の実施例はネットワーク装置を提供し、該ネットワーク装置は、図２に示すように、
ネットワークスライスの情報を取得し、前記ネットワークスライスの情報に基づいてエリア優先順位を設定する処理ユニット２１と、
前記エリア優先順位を端末装置に設定する通信ユニット２２と、を含む。
【００３７】
本実施例の提供する技術案によって、ネットワーク装置はネットワークスライスの情報に基づいてエリア優先順位を設定し、それから前記エリア優先順位を端末装置に設定することができる。
【００３８】
理解されるように、本実施例においてネットワーク装置は端末装置に対してエリア優先順位の設定を行う。
【００３９】
第１装置が第２装置より提供されたネットワークスライスの情報に基づいてエリア優先順位を設定し、そしてそのエリア優先順位を端末に提供する。すなわち、ネットワークにおけるある装置がもう１つの装置にネットワークスライスの情報を提供し、それから該情報に基づいて端末に対応するエリア優先順位を設定する。
【００４０】
具体的に、前記処理ユニット２１は、通信ユニット２２を介して、コアネットワーク、アクセスネットワーク、端末装置、操作保守装置のうちの１種類の装置から、前記ネットワークスライスの情報を取得する。即ち、コアネットワークから対応するネットワークスライスの情報を取得してもよく、アクセスネットワークから対応するネットワークスライスの情報を取得してもよい。
【００４１】
更に、異なる装置からネットワークスライスの情報を取得する方式について説明する。
【００４２】
第１方式では、端末装置からネットワークスライスの情報を取得する場合、前記端末装置は、前記ネットワークスライスの情報を直接取得し、又は、ネットワーク側の設定によって前記ネットワークスライスの情報を取得する。
【００４３】
端末装置がネットワークスライスの情報を直接取得する方式は、契約の方式によって取得するということであってもよく、具体的に、契約の方式は、ユーザが事前にオペレータと協議して契約結果を取得するということであってもよく、そして契約の方式にはユーザがネットワークスライスの情報を取得するパス情報が更に含まれてもよい。理解できるように、契約には、例えば、ユーザがネットワーク切替の情報を取得する契約サーバのアドレス情報、ルーティング情報、契約パスワード等、複数タイプの情報が含まれてもよく、ここでは説明を省略する。
【００４４】
端末装置は更にネットワーク側によって設定されたネットワークスライスの情報を直接受信してもよい。例えば、それ自身に対応する管理ネットワーク装置側からその設定したネットワークスライスの情報を直接取得し、具体的な取得方式については、本実施例では詳しく説明しない。
【００４５】
即ち、端末は契約によってそのネットワークスライスの情報を取得し、又はネットワーク設定によってそのネットワークスライスの情報を取得してもよい。この方式の場合、端末により提供されるネットワークスライスの情報に基づいてエリア優先順位を設定し、そしてそのエリア優先順位を端末に提供する。
【００４６】
第２方式では、コアネットワークからネットワークスライスの情報を取得する場合、前記コアネットワークは、前記端末装置の契約サーバから、又は前記端末装置から、又はアクセスネットワークから、又は他のコアネットワークからネットワークスライスの情報を取得できる。
【００４７】
すなわち、ネットワーク側は更に、どの端末装置にエリア優先順位を設定する必要があるかを知る必要があり、それに対応して、ネットワークスライスの情報を取得する時、端末装置に関する情報を参照しながら、それに対応する契約サーバ、アクセスネットワーク又は他のコアネットワークから対応する情報を取得する必要がある。
【００４８】
前記他のコアネットワークは他のシステムのコアネットワークであってもよく、現在端末装置に対応するコアネットワークでさえなければよい。
【００４９】
即ち、コアネットワークは端末の契約サーバから又は端末から又はアクセスネットワークからそのネットワークスライス情報を取得してもよい。
【００５０】
更に説明すべきように、他のコアネットワークの情報の取得時間又はタイミングは、端末装置がネットワーク切替を行う過程の中にあってもよく、この時、コアネットワークは他のコアネットワークからそのネットワークスライス情報を取得できる。又は、端末装置のアクセスした最初コアネットワークからネットワークスライス情報を取得すると理解されてもよい。
【００５１】
尚、アクセスネットワーク、操作保守装置からネットワークスライス情報を取得する方式については、前述の２つの方式と同じ又は類似であってもよく、ここで網羅的な説明をしない。
【００５２】
更に、前記エリアは、ビームエリア、セル、周波数帯域、周波数ポイント、登録エリア、トラッキングエリア、ページングエリアのうちの少なくとも１つである。例えば、ビームエリアは少なくとも１つのビームによってカバーされたセルであってもよく、尚、異なるセル、異なる周波数帯域、又は異なる周波数ポイントは異なるエリアに区分され、勿論、更に幾つかの異なる周波数帯域が同じ１つのエリアに区分されてもよく、ここでは限定をしない。理解できるように、他の登録エリア、トラッキングエリア、ページングエリアの区分方式は前述と同じであってもよく、ここでは説明を省略する。
【００５３】
本実施例で紹介する前述案に基づいて、前記ネットワークスライスの情報について説明すると、該情報は、
ネットワークスライスの優先順位情報、
ネットワークスライスのレベル情報、
前記端末装置の属性情報、
ネットワークスライスとエリアとの間の対応関係のうちの少なくとも１つを含む。
【００５４】
前記ネットワークスライスの優先順位情報について、例えば、高、中、低優先順位、又は第１、２、３、４優先順位等のＮ個優先順位に区分してもよい。
【００５５】
ネットワークスライスのレベル情報も複数のレベルが存在してもよく、例えば１０種類のレベル（勿論、更に多くても、又は更に少なくてもよい）に区分してもよく、そして、ネットワークスライスのレベル情報について、更にネットワークスライスのレベル情報とネットワークスライスの優先順位情報とを対応させてもよく、例えば、レベル１−３を高優先順位に対応させ、レベル４−８を中優先順位に対応させ、レベル９−１０を低優先順位に対応させてもよい。
【００５６】
前記端末装置の属性情報について、本情報の使用方式は、前記端末装置の属性情報に基づいて前記ネットワークスライスの優先順位を決定し、前記ネットワークスライスの優先順位に基づいて前記エリア優先順位を設定する、ということであってもよい。例えば、その端末はＭＩｏＴタイプの端末であり、そうすると、対応するネットワークスライスのタイプの優先順位は比較的に高く、又はその端末はあるネットワークスライス属性に属せず、そうすると、そのネットワークスライスの優先順位は比較的に低い。
【００５７】
ネットワークスライスとエリアとの対応関係は、ネットワークスライスとエリアの優先順位情報であってもよい。すなわち、ネットワークスライスの優先順位情報に基づいて、それに対応するエリアの優先順位情報を決定する。例えば、ネットワークスライスの優先順位は、それの示そうとするある１つのエリア又はある幾つかのエリアに対応する優先順位に対応してもよく、そうすると、端末装置にエリア優先順位を設定する時は、エリアに対応するネットワークスライスの優先順位に基づいて、優先順位の最も高いネットワークスライスに対応するエリアを選択して端末に設定してもよい。すなわち、ネットワークスライスとエリアの間に事前設定の対応関係が存在し、ここでは説明を省略する。
【００５８】
これで分かるように、上記の案を採用することで、ネットワークスライスの情報を取得し、前記ネットワークスライスの情報に基づいてエリア優先順位を設定し、前記エリア優先順位を端末装置に設定することができ、これにより、端末によってネットワークスライスが設定されると、同一の端末によって複数のネットワークスライスを設定できるシーンでは、ネットワークスライスの情報に基づいて端末装置に対応するエリアの優先順位を設定できることが実現できる。
【００５９】
本発明の実施例は更にネットワーク装置のハードウェア構成アーキテクチャを提供し、該ハードウェア構成アーキテクチャは、図３に示すように、少なくとも１つのプロセッサ３１、メモリ３２、少なくとも１つのネットワークインタフェース３３を含む。各構成要素はバスシステム３４によって結合される。理解できるように、バスシステム３４はこれらの構成要素間の接続・通信を実現することに用いられる。バスシステム３４はデータバスを含む他、更に電源バス、制御バス及び状態信号バスを含む。しかし明確に説明するために、図３では様々なバスを全てバスシステム３４と表記する。
【００６０】
理解できるように、本発明の実施例におけるメモリ３２は、揮発性メモリ又は不揮発性メモリであってもよく、又は、揮発性と不揮発性メモリの両方を含んでもよい。
【００６１】
幾つかの実施形態では、メモリ３２は、オペレーティングシステム３２１及びアプリケーション３２２という実行可能なモジュール又はデータ構造、又はそのサブセット、又はその拡張セットを記憶している。
【００６２】
前記プロセッサ３１は前述の実施例１の方法ステップを処理できるように設定され、ここでは更に詳しく説明することをしない。
【００６３】
本発明の実施例はコンピュータ記憶媒体を提供し、前記コンピュータ記憶媒体にはコンピュータ実行可能な命令が記憶され、前記コンピュータ実行可能な命令が実行される時、前述の実施例１の方法ステップが実行される。
【００６４】
本発明の実施例の上記装置がソフトウェア機能モジュールの形で実現されそして独立した製品として販売又は使用される場合、コンピュータ読み取り可能な記憶媒体に記憶されてもよい。このような理解に基づくと分かるように、本発明の実施例の技術案の本質的な部分、又は従来技術に貢献する部分は、ソフトウェア製品の形式で具現でき、該コンピュータソフトウェア製品は１つの記憶媒体に記憶され、そして、１台のコンピュータ装置（パーソナルコンピュータ、サーバ、又はネットワーク装置等）に本発明の各実施例に記載の方法の全部又は一部を実行させるための若干の命令を含む。前述の記憶媒体は、ＵＳＢディスク、リムーバブルハードディスク、読み出し専用メモリ（ＲＯＭ、Ｒｅａｄ−Ｏｎｌｙ  Ｍｅｍｏｒｙ）、磁気ディスク又は光ディスク等、プログラムコードを記憶できる各種の媒体を含む。このように、本発明の実施例は、如何なる特定のハードウェアとソフトウェアの組み合わせにも制限されない。
【００６５】
それに対応して、本発明の実施例は更に、コンピュータプログラムが記憶されるコンピュータ記憶媒体を提供し、該コンピュータプログラムは、本発明の実施例のデータスケジューリング方法を実行するように設定される。
【００６６】
例示のために、本発明の好ましい実施例を開示したが、当業者は各種の改善、追加、置換を意識することが可能であり、従って、本発明の範囲は上記の実施例に制限されないとすべきである。
【図１】
2021514554.tif 000003
【図２】
2021514554.tif 000004
【図３】
2021514554.tif 000005
【手続補正書】
【提出日】令和2年12月9日(2020.12.9)
【手続補正１】
【補正対象書類名】明細書
【補正対象項目名】００１０
【補正方法】変更
【補正の内容】
【００１０】
本発明の実施例の技術案によって、ネットワークスライスの情報を取得し、前記ネットワークスライスの情報に基づいてエリア優先順位を設定し、前記エリア優先順位を端末装置に設定することができ、これにより、端末によってネットワークスライスが設定されると、同一の端末によって複数のネットワークスライスを設定できるシーンでは、ネットワークスライスの情報に基づいて端末装置に対応するエリアの優先順位を設定することが実現できる。
【手続補正２】
【補正対象書類名】明細書
【補正対象項目名】００３３
【補正方法】変更
【補正の内容】
【００３３】
前記端末装置の属性情報の使用方式は、前記端末装置の属性情報に基づいて前記ネットワークスライスの優先順位を決定し、前記ネットワークスライスの優先順位に基づいて前記エリア優先順位を設定する、ということであってもよい。例えば、その端末はＭＩｏＴタイプの端末であり、そうすると、対応するネットワークスライスのタイプの優先順位は比較的に高く、又はその端末はあるネットワークスライス属性に属せず、そうすると、そのネットワークスライスの優先順位は比較的に低い。
【手続補正３】
【補正対象書類名】明細書
【補正対象項目名】００３４
【補正方法】変更
【補正の内容】
【００３４】
ネットワークスライスとエリアとの対応関係は、ネットワークスライスとエリアの優先順位情報であってもよい。すなわち、ネットワークスライスの優先順位情報に基づいて、ネットワークスライスに対応するエリアの優先順位情報を決定する。例えば、ネットワークスライスの優先順位は、ネットワークスライスの示そうとするある１つのエリア又はある幾つかのエリアに対応する優先順位に対応してもよく、そうすると、端末装置にエリア優先順位を設定する時は、エリアに対応するネットワークスライスの優先順位に基づいて、優先順位の最も高いネットワークスライスに対応するエリアを選択して端末に設定してもよい。すなわち、ネットワークスライスとエリアの間に事前設定の対応関係が存在し、ここでは説明を省略する。
【手続補正４】
【補正対象書類名】明細書
【補正対象項目名】００３５
【補正方法】変更
【補正の内容】
【００３５】
これで分かるように、上記の案を採用することで、ネットワークスライスの情報を取得し、前記ネットワークスライスの情報に基づいてエリア優先順位を設定し、前記エリア優先順位を端末装置に設定することができ、これにより、端末によってネットワークスライスが設定されると、同一の端末によって複数のネットワークスライスを設定できるシーンでは、ネットワークスライスの情報に基づいて端末装置に対応するエリアの優先順位を設定することが実現できる。
【手続補正５】
【補正対象書類名】明細書
【補正対象項目名】００４４
【補正方法】変更
【補正の内容】
【００４４】
端末装置は更にネットワーク側によって設定されたネットワークスライスの情報を直接受信してもよい。例えば、それ自身に対応する管理ネットワーク装置側から管理ネットワーク装置の設定したネットワークスライスの情報を直接取得し、具体的な取得方式については、本実施例では詳しく説明しない。
【手続補正６】
【補正対象書類名】明細書
【補正対象項目名】００４７
【補正方法】変更
【補正の内容】
【００４７】
すなわち、ネットワーク側は更に、どの端末装置にエリア優先順位を設定する必要があるかを知る必要があり、それに対応して、ネットワークスライスの情報を取得する時、端末装置に関する情報を参照しながら、端末装置に対応する契約サーバ、アクセスネットワーク又は他のコアネットワークから対応する情報を取得する必要がある。
【手続補正７】
【補正対象書類名】明細書
【補正対象項目名】００５６
【補正方法】変更
【補正の内容】
【００５６】
前記端末装置の属性情報の使用方式は、前記端末装置の属性情報に基づいて前記ネットワークスライスの優先順位を決定し、前記ネットワークスライスの優先順位に基づいて前記エリア優先順位を設定する、ということであってもよい。例えば、その端末はＭＩｏＴタイプの端末であり、そうすると、対応するネットワークスライスのタイプの優先順位は比較的に高く、又はその端末はあるネットワークスライス属性に属せず、そうすると、そのネットワークスライスの優先順位は比較的に低い。
【手続補正８】
【補正対象書類名】明細書
【補正対象項目名】００５７
【補正方法】変更
【補正の内容】
【００５７】
ネットワークスライスとエリアとの対応関係は、ネットワークスライスとエリアの優先順位情報であってもよい。すなわち、ネットワークスライスの優先順位情報に基づいて、ネットワークスライスに対応するエリアの優先順位情報を決定する。例えば、ネットワークスライスの優先順位は、ネットワークスライスの示そうとするある１つのエリア又はある幾つかのエリアに対応する優先順位に対応してもよく、そうすると、端末装置にエリア優先順位を設定する時は、エリアに対応するネットワークスライスの優先順位に基づいて、優先順位の最も高いネットワークスライスに対応するエリアを選択して端末に設定してもよい。すなわち、ネットワークスライスとエリアの間に事前設定の対応関係が存在し、ここでは説明を省略する。
【手続補正９】
【補正対象書類名】明細書
【補正対象項目名】００５８
【補正方法】変更
【補正の内容】
【００５８】
これで分かるように、上記の案を採用することで、ネットワークスライスの情報を取得し、前記ネットワークスライスの情報に基づいてエリア優先順位を設定し、前記エリア優先順位を端末装置に設定することができ、これにより、端末によってネットワークスライスが設定されると、同一の端末によって複数のネットワークスライスを設定できるシーンでは、ネットワークスライスの情報に基づいて端末装置に対応するエリアの優先順位を設定することが実現できる。
【手続補正１０】
【補正対象書類名】特許請求の範囲
【補正対象項目名】全文
【補正方法】変更
【補正の内容】
【特許請求の範囲】
【請求項１】
エリア優先順位を決定する方法であって、ネットワーク装置に適用され、
ネットワークスライスの情報を取得し、前記ネットワークスライスの情報に基づいてエリア優先順位を設定することと、
前記エリア優先順位を端末装置に設定することと、を含む、エリア優先順位を決定する方法。
【請求項２】
前記ネットワークスライスの情報は、
ネットワークスライスの優先順位情報、
ネットワークスライスのレベル情報、
前記端末装置の属性情報、
ネットワークスライスとエリアとの間の対応関係のうちの少なくとも１つを含む請求項１に記載の方法。
【請求項３】
前記ネットワークスライスの情報に基づいてエリア優先順位を設定することは、
前記端末装置の属性情報に基づいて前記ネットワークスライスの優先順位を決定することと、
前記ネットワークスライスの優先順位に基づいて前記エリア優先順位を設定することと、を含む請求項２に記載の方法。
【請求項４】
前記ネットワークスライスの情報を取得することは、
コアネットワーク、アクセスネットワーク、端末装置、操作保守装置のうちの１種類の装置から、前記ネットワークスライスの情報を取得することを含む請求項１に記載の方法。
【請求項５】
前記エリアは、
ビームエリア、セル、周波数帯域、周波数ポイント、登録エリア、トラッキングエリア、ページングエリアのうちの少なくとも１つである請求項１に記載の方法。
【請求項６】
端末装置からネットワークスライスの情報を取得する場合、前記端末装置は、前記ネットワークスライスの情報を直接取得し、又は、ネットワーク側の設定によって前記ネットワークスライスの情報を取得することができる請求項４に記載の方法。
【請求項７】
コアネットワークからネットワークスライスの情報を取得する場合、前記コアネットワークは、前記端末装置の契約サーバから、又は前記端末装置から、又はアクセスネットワークから、又は他のコアネットワークからネットワークスライスの情報を取得できる請求項４に記載の方法。
【請求項８】
ネットワーク装置であって、
ネットワークスライスの情報を取得し、前記ネットワークスライスの情報に基づいてエリア優先順位を設定する処理ユニットと、
前記エリア優先順位を端末装置に設定する通信ユニットと、を含むネットワーク装置。
【請求項９】
前記ネットワークスライスの情報は、
ネットワークスライスの優先順位情報、
ネットワークスライスのレベル情報、
前記端末装置の属性情報、
ネットワークスライスとエリアとの間の対応関係のうちの少なくとも１つを含む請求項８に記載のネットワーク装置。
【請求項１０】
前記処理ユニットは、前記端末装置の属性情報に基づいて前記ネットワークスライスの優先順位を決定し、前記ネットワークスライスの優先順位に基づいて前記エリア優先順位を設定する請求項９に記載のネットワーク装置。
【請求項１１】
前記処理ユニットは、通信ユニットを介して、コアネットワーク、アクセスネットワーク、端末装置、操作保守装置のうちの１種類の装置から、前記ネットワークスライスの情報を取得する請求項８に記載のネットワーク装置。
【請求項１２】
前記エリアは、
ビームエリア、セル、周波数帯域、周波数ポイント、登録エリア、トラッキングエリア、ページングエリアのうちの少なくとも１つである請求項８に記載のネットワーク装置。
【請求項１３】
端末装置からネットワークスライスの情報を取得する場合、前記端末装置は、前記ネットワークスライスの情報を直接取得し、又は、ネットワーク側の設定によって前記ネットワークスライスの情報を取得することができる請求項１２に記載のネットワーク装置。
【請求項１４】
コアネットワークからネットワークスライスの情報を取得する場合、前記コアネットワークは、前記端末装置の契約サーバから、又は前記端末装置から、又はアクセスネットワークから、又は他のコアネットワークからネットワークスライスの情報を取得できる請求項１２に記載のネットワーク装置。
【請求項１５】
ネットワーク装置であって、プロセッサ、及びプロセッサにおいて実行できるコンピュータプログラムを記憶するためのメモリを含み、
前記プロセッサは、前記コンピュータプログラムが実行される時、請求項１〜７のいずれか１項に記載の方法のステップを実行することに用いられるネットワーク装置。
【請求項１６】
コンピュータ記憶媒体であって、コンピュータ実行可能な命令が記憶され、前記コンピュータ実行可能な命令が実行される時、請求項１〜７のいずれか１項に記載の方法のステップが実現されるコンピュータ記憶媒体。
【国際調査報告】
2021514554.tif 000006
2021514554.tif 000007
2021514554.tif 000008
2021514554.tif 000009